(57)【特許請求の範囲】
【請求項１】
編地を構成する地糸と編地の外面側に突出する状態で編み込まれるパイル糸とをもって筒状に編成されるサポーターであって、筒状に編成される編地の特定箇所に、パイルが存在しない非パイル部を形成し、該非パイル部をそれの周縁に沿ってかがり糸で環状又はほぼ環状に縫着するとともに、前記かがり糸で囲まれた非パイル部分に表裏に貫通する開口を形成し、更に、前記非パイル部の周縁と環状又はほぼ環状に縫着されるかがり糸との間に間隔を形成してあるサポーター。
【請求項２】
前記非パイル部が、筒状に編成される編地の複数箇所に形成されていて、そのうちの一つが氏名等の表示部に構成されている請求項１記載のサポーター。
【発明の詳細な説明】
【０００１】
【発明の属する技術分野】
本発明は、手首や肘等の関節の保護や保温等のために装着されるサポーターに関し、詳しくは、保温性及び耐久性の向上と表面側の触感の改善とを指向して、編地を構成する地糸と編地の外面側に突出する状態で編み込まれるパイル糸とをもって筒状に編成されたサポーターに関する。
【０００２】
【従来の技術】
従来では、サポーターの多目的化を図る方法として、例えば、肘や手首の保護に用いる本来の関節保護機能の他に、簡易な手袋として使用することができるように、メリヤス編み編地の筒軸線方向中間の特定箇所に、それの外面側に突出するパイル群を避けた状態で親指が通る開口をカッター等で切削形成したものが存在する。
【０００３】
【発明が解決しようとする課題】
この従来のサポーターでは、手袋として使用する際、掌全体を覆いながらも、各指先は裸の状態で自由に動かすことができるから、細かな手作業が要求される場合に適しているとともに、同じ目的で各指挿入部を指の途中までの長さに形成してある手袋に比して、各指の根元を圧迫するような感触も無く、違和感の無い状態で長時間使用することができる反面、切削形成された開口から編地及びパイル組織が解舒されるのを防止するためには、筒状に編成された編地の開口周縁を、その周縁に位置するパイル群と共にかかり糸で環状に縫着する必要があるが、縫着の準備作業として、編地の開口周縁に位置するパイル群を縫針に絡み付かない姿勢に揃える必要があり、しかも、そのような対策を講じても、縫製直前に起立するパイルが縫針に絡み付くことを防止することは難しく、その縁縫い作業に多くの手間を要する。
その上、編地の開口周縁に位置するパイル群は種々の方向に傾いた状態で外方に突出しているため、適宜の幅で帯状に縫製されるかかり糸が揃い難く、仕上がりが悪くなっていた。
【０００４】
本発明は、上述の実状に鑑みて為されたものであって、その主たる課題は、筒状に編成される編地の特定箇所に多目的化のための開口を形成しながらも、その開口から編地が解舒されるのを防止するための縁縫い作業を美麗な仕上り状態で能率良く容易に行うことのできるサポーターを提供する点にある。
【０００５】
【課題を解決するための手段】
本発明の請求項１による特徴構成は、編地を構成する地糸と編地の外面側に突出する状態で編み込まれるパイル糸とをもって筒状に編成されるサポーターであって、筒状に編成される編地の特定箇所に、パイルが存在しない非パイル部を形成し、該非パイル部をそれの周縁に沿ってかがり糸で環状又はほぼ環状に縫着するとともに、前記かがり糸で囲まれた非パイル部分に表裏に貫通する開口を形成し、更に、前記非パイル部の周縁と環状又はほぼ環状に縫着されるかがり糸との間に間隔を形成した点にある。
上記特徴構成によれば、編地を構成する地糸とパイル糸との編成時に、筒状に編成される編地の特定箇所にパイルが存在しない非パイル部を形成するから、従来のように、編地の開口周縁に位置するパイル群を縫針に絡み付かない姿勢に揃える必要がない。
しかも、前記非パイル部をそれの周縁に沿ってかがり糸で環状又はほぼ環状に予め縫着したのち、このかがり糸で囲まれた非パイル部分に表裏に貫通する開口を形成するから、かがり糸の縫着作業を平坦な非パイル部に沿って容易に行うことができるとともに、開口の形成も、環状又はほぼ環状のかがり糸で補強された非パイル部分に沿って容易に行うことができる。
従って、筒状に編成された編地の特定箇所に、親指挿通用開口や点滴治療等のための操作用開口など、多目的化のための開口を形成しながらも、その開口から編地が解舒されるのを防止するための縁縫い作業を美麗な仕上り状態で能率良く容易に行うことができる。
更に、非パイル部をそれの周縁に沿ってかがり糸で環状又はほぼ環状に縫着する際、その縫着位置と非パイル部の外周縁に位置するパイル群との間に間隔が設けられているから、パイル群が縫着の邪魔になることが少なく、開口から編地が解舒されるのを防止するための縁縫い作業を更に能率良く容易に行うことができる。
【０００６】
本発明の請求項２によるサポーターの特徴構成は、前記非パイル部が、筒状に編成される編地の複数箇所に形成されていて、そのうちの一つが名前等の表示部に構成されている点にある。
上記特徴構成によれば、編地を構成する地糸とパイル糸との編成時に、編地の複数の特定箇所にパイルが存在しない非パイル部を形成して、そのうちの一つの平坦な非パイル部を表示部に利用することにより、名前等の表示を容易に行うことができるとともに、その周囲に位置するパイル群との対比において表示効果を高めることができる。
【０００８】
〔第１実施形態〕
図１〜図４は、メリヤス編みの編地Ａを構成する地糸１と、編地Ａの外面側にループ状に突出する状態で編み込まれるパイル糸２とをもって筒状に編成される手首用のサポーターを示し、筒状に編成される編地Ａの外周面側の複数の特定箇所、つまり、筒軸芯方向の中間位置よりも少し先端側（指突出口側）に偏位した部位と、筒軸芯方向の中間位置よりも基端側（装着口側）に偏位した部位とに、パイルが存在しない、つまり、パイル糸２が外面側に突出しない状態で編地Ａの一部として編み込まれた偏平状の非パイル部（非パイル領域）３Ａ，３Ｂが形成され、そのうち、周方向に沿って細長い長方形状を呈する先端側の第１非パイル部３Ａ内を、それの周縁に沿ってかがり糸４で環状又はほぼ環状に縫着するとともに、前記かがり糸４で囲まれた第１非パイル部３Ａの中央部分には、表裏に貫通する親指挿通用の開口５が、かがり糸４を損傷しない状態でリッパー等により切込み形成されている。
【０００９】
前記第１非パイル部３Ａの周縁と環状又はほぼ環状に縫着されたかがり糸４との間には、それの全周に亘って間隔（空隙）Ｈが形成されているとともに、筒軸線方向の寸法が少し長い長方形状を呈する基端側の第２非パイル部３Ｂは、刺繍糸等で氏名や図柄などを表すための表示部に構成されている。
【００１０】
また、筒状に編成される編地Ａのうち、筒軸芯方向の両端側に位置する適宜長さの領域Ｗには、図７に示すように、挿入した手首等を包み込むようなフィット感を得ることができるように、編地Ａを構成する地糸１と共に所定本数のゴム糸６が編み込まれているとともに、前記編地Ａのうち、内方に折り返された状態で縫着される基端部分も、パイルが存在しない（パイル糸２が外面側に突出しない）第３非パイル部（非パイル領域）３Ｃに構成されている。
【００１１】
前記編地Ａを構成する地糸１は、図５に示すように、一本の２０番ないし３０番の綿糸又は綿アクリル混紡糸あるいは２０番ないし３０番の毛糸又は毛アクリル混紡糸からなる表糸１ａと、２０デニールのポリウレタンと７０デニールのナイロンとからなる一本の裏糸１ｂとしての弾性糸（ＦＴＹ）から構成されているとともに、前記パイル糸２は、表糸１ａと同様に、一本の２０番ないし３０番の綿糸又は綿アクリル混紡糸あるいは２０番ないし３０番の毛糸又は毛アクリル混紡糸から構成されている。
つまり、前記パイル糸２は、図５、図６に示すように、編地Ａを構成する地糸１の一つである表糸１ａをもって兼用構成されていて、表糸１ａの各パイル形成部位をループ状に外方に突出させることにより、パイルＰ群を形成してある。
【００１２】
前記第１非パイル部３Ａと第２非パイル部３Ｂ及び第３非パイル部３Ｃの各々は、図５の組織図に示すように、パイル糸２を兼用構成する表糸１ａが外面側に突出しない状態で編地Ａの一部として編み込まれているため、全体がほぼ偏平状に構成されている。
【００１３】
〔第２実施形態〕
図８は、メリヤス編みの編地Ａを構成する地糸１と、編地Ａの外面側にループ状に突出する状態で編み込まれるパイル糸２とをもって筒状に編成される肘用のサポーターを示し、筒状に編成される編地Ａの外周面側の複数の特定箇所、つまり、筒軸芯方向の中間部位と、筒軸芯方向の中間位置よりも基端側（装着口側）又は先端側（指突出口側）に偏位した部位とに、パイルＰが存在しない（パイル糸２が存在しない又はパイル糸２が外面側に突出しない）非パイル部３Ａ，３Ｂが形成され、そのうち、周方向及び筒軸芯方向での各寸法が大きな中央側の第１非パイル部３Ａ内を、それの周縁に沿ってかがり糸４で環状又はほぼ環状に縫着するとともに、前記かがり糸４で囲まれた第１非パイル部３Ａの中央側部分には、第１非パイル部３Ａの輪郭形状と相似形で表裏に貫通する点滴治療用の開口５が、かがり糸４を損傷しない状態でリッパー等により切込み形成されている。
【００１４】
前記第１非パイル部３Ａの周縁と環状又はほぼ環状に縫着されたかがり糸４との間には、それの全周に亘って間隔（空隙）Ｈが形成されているとともに、筒軸線方向の寸法が少し長い長方形状を呈する基端側又は先端側の第２非パイル部３Ｂは、刺繍糸等で氏名や図柄などを表すための表示部に構成されている。
【００１５】
尚、その他の構成は、第１実施形態で説明した構成と同一であるから、同一の構成箇所には、第１実施形態と同一の番号を付記してそれの説明は省略する。
【００１６】
〔その他の実施形態〕
（１）上述の各実施形態では、前記非パイル部３Ａ内を、それの周縁に沿ってかがり糸４で環状又はほぼ環状に縫着する際、非パイル部３Ａの周縁との間に所定幅の間隔（空隙）Ｈが形成される状態で、かがり糸４をジグザグ状に縫着したが、このかがり糸４を、非パイル部３Ａの周縁に接触する又はパイルの一部を縫付ける状態で縫着してもよい。
【００１７】
（２）上述の各実施形態では、筒状に編成される編地Ａの外周面側の二つの特定箇所に、パイルＰが存在しない（パイル糸２が存在しない又はパイル糸２が外面側に突出しない）非パイル部３Ａ，３Ｂを形成し、そのうち、一方の非パイル部３Ａ内に多目的使用のための開口５を形成し、他方の非パイル部３Ｂを、刺繍糸等で氏名や図柄などを表すための表示部に構成したが、筒状に編成される編地Ａの外周面側の一つの特定箇所にのみ、パイルが存在しない非パイル部（非パイル領域）３Ａを形成し、この非パイル部３Ａ内を、それの周縁に沿ってかがり糸４で環状又はほぼ環状に縫着するとともに、前記かがり糸４で囲まれた非パイルブ部分に、親指挿通用や点滴治療用等の多目的使用のための開口５を形成して実施してもよい。
【００１８】
（３）また、筒状に編成される編地Ａの外周面側の三つ以上の特定箇所に、パイルが存在しない非パイル部（非パイル領域）を形成して、そのうちの全て又は一部に多目的使用のための開口５を形成して実施してもよい。
【００１９】
【図面の簡単な説明】
【図１】本発明のサポーターの第１実施形態を示す開口形成前の平面図
【図２】開口形成後の平面図
【図３】要部の縦断面図
【図４】使用状態を示す斜視図
【図５】非パイル部の組織説明図
【図６】中間部のパイル部の組織説明図
【図７】ゴム糸を編み込んだときのパイル部の組織説明図
【図８】本発明のサポーターの第２実施形態を示す平面図
【符号の説明】
Ａ        編地
Ｈ        間隔
１        地糸
２        パイル糸
３Ａ      非パイル部
４        かがり糸
５        開口
【図１】
0003615982.tif 000002
【図２】
0003615982.tif 000003
【図３】
0003615982.tif 000004
【図４】
0003615982.tif 000005
【図５】
0003615982.tif 000006
【図６】
0003615982.tif 000007
【図７】
0003615982.tif 000008
【図８】
0003615982.tif 000009